(57)【要約】【課題】  フィールドシーケンシャル方式液晶表示装置において、各画素のＴＦＴのＯＮ電流を増大させた、応答速度の速い液晶表示装置を提供すること。【解決手段】  各画素の駆動用素子として薄膜トランジスタを有するフィールドシーケンシャル方式液晶表示装置において、一定のソース電圧に対して、前記薄膜トランジスタのゲート電圧ＶＧとドレイン電流ＩＤの積ＶＧ×ＩＤが１５Ｅ−６ＶＡ以上となるようにする。  この場合、ＶＧ×ＩＤが２０Ｅ−６ＶＡ以上８０Ｅ−６ＶＡ以下となるようにすることが好ましい。【選択図】        図５
2005197480.tif 000002
【特許請求の範囲】
【請求項１】
各画素の駆動用素子として薄膜トランジスタを有し、有彩色の背面照明と同期して駆動されるフィールドシーケンシャル方式液晶表示器において、一定のソース電圧に対して、前記薄膜トランジスタのゲート電圧ＶＧとドレイン電流ＩＤの積ＶＧ×ＩＤが１５Ｅ−６ＶＡ以上となるチャネル領域を有した薄膜トランジスタで構成されていることを特徴とするフィールドシーケンシャル方式液晶表示器。
【請求項２】
前記薄膜トランジスタは、ゲート電圧ＶＧとドレイン電流ＩＤの積ＶＧ×ＩＤが２０Ｅ−６ＶＡ以上８０Ｅ−６ＶＡ以下となるチャネル領域を有していることを特徴とする請求項１に記載のフィールドシーケンシャル方式液晶表示器。
【請求項３】
前記薄膜トランジスタのチャネル幅Ｗが２４μｍ以上５４μｍ以下であることを特徴とする請求項１又は２に記載のフィールドシーケンシャル方式液晶表示器。
【請求項４】
前記フィールドシーケンシャル方式液晶表示器の液晶層の厚さが１．５μｍ以上３μｍ以下であることを特徴とする請求項１〜３の何れか１項に記載のフィールドシーケンシャル方式液晶表示器。
【請求項５】
各画素の駆動用素子として薄膜トランジスタを有するフィールドシーケンシャル方式液晶表示装置において、一定のソース電圧に対して、前記薄膜トランジスタのゲート電圧ＶＧとドレイン電流ＩＤの積ＶＧ×ＩＤが１５Ｅ−６ＶＡ以上となるチャネル領域を有した薄膜トランジスタで構成されたフィールドシーケンシャル方式液晶表示器と、該フィールドシーケンシャル方式液晶表示器の背面に設けられた略原色の発光色を有する背面照明を具備したことを特徴とするフィールドシーケンシャル方式液晶表示装置。
【請求項６】
前記薄膜トランジスタは、ゲート電圧ＶＧとドレイン電流ＩＤの積ＶＧ×ＩＤが２０Ｅ−６ＶＡ以上８０Ｅ−６ＶＡ以下となるチャネル領域を有していることを特徴とする請求項５に記載のフィールドシーケンシャル方式液晶表示装置。
【請求項７】
前記薄膜トランジスタのチャネル幅Ｗが２４μｍ以上５４μｍ以下であることを特徴とする請求項５又は６に記載のフィールドシーケンシャル方式液晶表示装置。
【請求項８】
前記フィールドシーケンシャル方式液晶表示器の液晶層の厚さが１．５μｍ以上３μｍ以下であることを特徴とする請求項５〜７の何れか１項に記載のフィールドシーケンシャル方式液晶表示装置。
【発明の詳細な説明】
【技術分野】
【０００１】
本発明は、フィールドシーケンシャル方式液晶表示器及び該表示器を用いたフィールドシーケンシャル方式液晶表示装置に関する。
【背景技術】
【０００２】
一般に液晶表示装置には薄型軽量、低消費電力という特徴があり、特に、薄膜トランジスタ（Thin Film Transistor.以下「ＴＦＴ」という。）方式のアクティブマトリクス型液晶表示装置は携帯端末から大型テレビに至るまで幅広く利用されている。
【０００３】
通常、広く用いられているアクティブマトリクス型液晶表示装置は、マトリクス状に配置された画素電極と各画素電極に接続されたＴＦＴ素子が設けられた基板と共通電極が設けられた基板とを所定間隔を隔てて配設し、両基板間に液晶を封入した液晶表示器を備えている。そして、液晶表示器の共通電極側にはそれぞれの画素ごとに赤（Ｒ）、緑（Ｇ）又は青（Ｂ）のフィルタが備えられたサブピクセルが設けられ、Ｒ・Ｇ・Ｂの３つのサブピクセルで１画素とされている。また、液晶表示器の両面には偏光板が配置され、一方の偏光板の背後には背面照明が配置されて透過型の液晶表示装置とされている。
【０００４】
この形式の液晶表示装置は、空間混合方式と称されるものであって、Ｒ・Ｇ・Ｂ各画素の透過光の強度を変えて混色することにより所望の色の光を得るものであって、現在主流となっているものであるが、光の利用効率が低いという問題がある。すなわち、通常のカラー液晶表示装置の場合、偏光板による光透過率は約１／２以下であり、カラーフィルタによる光透過率は約１／３以下であるので、開口率その他を考えると、背面照明から出射される全光の利用効率は実質的に１０％以下となってしまう。
【０００５】
近年、このようなカラーフィルタを使用しない形式の透過型液晶表示装置として、フィールドシーケンシャル方式の液晶表示装置が開発された（下記特許文献１、２参照）。このフィールドシーケンシャル方式の液晶表示装置は、時間差混合方式と称されるものであって、背面照明としてＲ・Ｇ・Ｂの各色の光を発することができる光源を使用し、各フィールド中にＲ・Ｇ・Ｂの各光を素早く切り替えて液晶表示器に照射することにより、カラー表示を得るものである。このフィールドシーケンシャル方式の液晶表示装置は、カラーフィルタを有していないために、従来例のようなカラーフィルタによる光吸収を考慮する必要がなく、従来のものよりも低消費電力の光源を使用し得る。なお、フィールドシーケンシャル方式の液晶表示装置に使用される光源としては、略原色の発光色を有する背面照明を高速に切替発光できる発光ダイオード、無機ないしは有機ＥＬ(Electro Luminescence)素子が使用される。なお、本願明細書における「略原色」とは、Ｒ・Ｇ・ＢやＣ・Ｍ・Ｙ等任意の組合せの３原色と白色の発光色の組合せを意味するものとして使用される。
【０００６】
このように、フィールドシーケンシャル方式の液晶表示装置は、低消費電力で、また、１画素で略原色の各色の光を時分割して透過させてカラー表示を行うことができるために、従来の液晶表示装置に比すると高精細化が可能であるが、液晶表示器として従来のものよりも高速応答が要求される。すなわち、色の切替に際してフリッカ（画像のちらつき）が生じないようにするためには、現在の慣用規格では１フィールドが１／６０秒であるため、図１に示したように、１フィールド当たり１色の表示を行うためには１／１８０秒以下、すなわち約５．６ｍ秒以下で切り替えする必要がある。従って、フィールドシーケンシャル方式の液晶表示器としては、従来のものよりも遙かに応答速度が速いものが必要とされており、現在においても更なる改良が進められている。
【０００７】
例えば、下記特許文献２には、発光部の単位発光期間内において液晶表示器への印加電圧のパターンを変化させることにより高速応答で多段階表示が可能な液晶表示装置が、また、下記特許文献３には、ＯＣＢ（Optical Controlled Birefringence)モードの液晶表示器において、液晶分子を確実にベンド転移するようになすことにより液晶表示器の応答速度を高める技術が、それぞれ開示されている。
【特許文献１】特開２００１−１００６４６号公報（特許請求の範囲、段落［０００４］〜［１００７］、［００４２］〜［００７２］、図１〜図３）
【特許文献２】特許第３３３８４３８号公報（特許請求の範囲、段落［００３８］〜［００４８］、図３）
【特許文献３】特開２０００−３２１５５６号公報（特許請求の範囲、段落［０００５］〜［０００６］、段落［００１５］〜［００２４］）
【発明の開示】
【発明が解決しようとする課題】
【０００８】
前記特許文献２に開示されている発明は、液晶表示器への印加電圧の観点から、また、前記特許文献３に開示されている発明は液晶分子の配向の観点から、共に液晶表示器の応答速度向上を図ったものであるが、未だにフィールドシーケンシャル方式の液晶表示装置として十分な高速応答性を達成するには至ってはいない。その理由の一つとして、フィールドシーケンシャル方式により液晶表示器を駆動する場合に、背面照明の発光に合わせてＴＦＴを駆動するための最適条件が解明されていない点がある。そこで、本発明者等はフィールドシーケンシャル方式液晶表示装置のＴＦＴの最適駆動条件を探求して液晶表示器の応答速度の向上の可能性を検討することとした。
【０００９】
ＴＦＴは画素電極へのデータ信号入力を選択するスイッチング素子であり、ゲート電極、ドレイン電極、ソース電極、及び、非晶質半導体層より構成される電界効果トランジスタからなり、それぞれの電極は走査線、映像線及び画素電極に接続されている。走査線群は線順次に走査選択されて所定の走査時間の間、１走査線上の全てのＴＦＴをＯＮとし、このＯＮ期間中にデータ信号が各映像線を介してそれぞれの画素電極に入力される。共通電極は、走査信号に同期して電圧が設定され、対向する各画素電極との間で画素となる液晶容量が形成されて電圧が保持される。この保持電圧は間隙の液晶を駆動するとともに、次フィールドで正負反転して書き換えられるまで、液晶の駆動状態を所定の１走査期間維持する。
【００１０】
このフィールドシーケンシャル方式液晶表示器の一般的な構成及び等価回路を図２及び３を参照して簡単に説明する。なお、図２はこのフィールドシーケンシャル方式液晶表示器の１画素分の平面図であり、図３は数画素分の等価回路を示す図である。個々の画素電極ＬＰは液晶表示器上の走査線Ｘn、Ｘn+1・・・と映像線Ｙm、Ｙm+1・・・で囲まれた区画に設けられており、この画素電極ＬＰは等価的に液晶容量ＣLCで表わされている。通常液晶容量ＣLCには補助容量ＣSが並列に接続されている。液晶容量ＣLCの一端は駆動用のＴＦＴのドレイン電極Ｄに接続されているとともに、他端は対向電極に接続されて所定の基準電圧Ｖcomが印加されている。
【００１１】
ＴＦＴは絶縁ゲート電界効果型の薄膜トランジスタからなり、そのソース電極Ｓは映像線Ｙm、Ｙm+1・・・に接続されて画像信号Ｖsigの供給を受け、また、ドレイン電極Ｄは液晶容量ＣLCの一端、すなわち画素電極ＬＰに接続されている。さらに、ＴＦＴのゲート電極Ｇは走査線Ｘn、Ｘn+1・・・に接続されて所定のゲート電圧Ｖgateを有するゲートパルスＧＰが印加されるようになされている。そして、ドレイン電極とソース電極との間には寄生容量ＣDSがまた、液晶容量ＣLCとゲート電極Ｇとの間には結合容量ＣGDが形成される。この結合容量ＣGDは画素電極と走査線Ｘnとの間の浮遊容量成分とＴＦＴ内部のドレイン領域とゲート領域との間の寄生容量成分が合わさったものであり、後者の寄生容量成分が支配的であるので、以下、ＣGDをＣDSと共に寄生容量と称する。
【００１２】
液晶表示器の画素に対して選択期間中に画像信号Ｖsigを書き込み、続く非選択期間中書き込まれた画像信号を保持して一フィールドが構成されるが、一フィールドにおける液晶画素の透過率はその間に液晶に印加される実効電圧によって決定される。したがって、ＴＦＴは、選択期間内に書き込みを完了するために必要なＯＮ電流が確保できるものでなければならず、また、一フィールド期間中に液晶画素を所定の表示状態に維持し続けるのに十分な実効電圧が得られるようにするために、非選択期間中あるいは保持期間中のリーク電流はできるだけ小さくする必要がある。
【００１３】
また、液晶表示器は、ＴＦＴがＯＮ状態となるとＴＦＴのソース電極Ｓに印加されていた画像電圧Ｖsigが画素電極ＬＰに印加されるが、画素電極ＬＰの両端の電圧は、液晶容量ＣLC、補助容量ＣS、寄生容量ＣGD及びＣDSの充放電を経ながら前記画像電圧Ｖsigに近づいていくので、少なくとも寄生容量ＣGD及びＣDSが小さいほど、また、ＴＦＴのＯＮ電流が大きいほど、液晶表示器の応答速度が速くなる。したがって、液晶分子は駆動電圧を印加してもすぐに動くわけではないが、液晶表示器を高速に駆動するためにはＴＦＴのＯＮ電流が大きいほど有利となる。
【００１４】
なお、一般的なフィールドシーケンシャル方式液晶表示器のＴＦＴの構成は、図４に示したとおりであり、図４（ａ）は平面図、図４（ｂ）は図４（ａ）のＡ−Ａ’線に沿った断面図である。ＴＦＴのＯＮ電流を大きくするためには、ＴＦＴのサイズを大きくして、ソース電極Ｓとドレイン電極Ｄが対向している長さ、すなわちチャネル幅Ｗを大きくすると共に、両電極間の距離、すなわちチャネル長Ｌを短くすることにより一応達成できる。しかしながら、チャネル長Ｌは回路設計上一定の限度があるし、また、チャネル幅Ｗを大きくすることは、それに伴って寄生容量成分ＣGD及びＣDSも大きくなる（図２参照）ため、液晶表示器の高速駆動の点からは相反する要因となってしまう。
【００１５】
そこで、本発明者等は、このフィールドシーケンシャル方式液晶表示器のＴＦＴの駆動方法について、チャネル長Ｌ、チャネル幅Ｗ、ゲート電圧ＶＧ、ドレイン電流ＩＤの関係を種々検討した結果、特定の条件下で駆動することによりＴＦＴのＯＮ電流を増大させることができることを見出し、本発明を完成するに至ったのである。
【００１６】
すなわち、本発明の第１の目的は、ＴＦＴのＯＮ電流を増大させることができ、応答速度の速いフィールドシーケンシャル方式液晶表示器を提供することにある。
【００１７】
また、本発明の第２の目的は、前記フィールドシーケンシャル方式液晶表示器を使用した応答速度の速いフィールドシーケンシャル方式液晶表示装置を提供することにある。
【課題を解決するための手段】
【００１８】
本発明の上記第１の目的は以下の構成により達成し得る。すなわち、本願の請求項１に記載のフィールドシーケンシャル方式液晶表示器の発明は、各画素の駆動用素子として薄膜トランジスタを有し、有彩色の背面照明と同期して駆動されるフィールドシーケンシャル方式型液晶表示器において、一定のソース電圧に対して、前記薄膜トランジスタのゲート電圧ＶＧとドレイン電流ＩＤの積ＶＧ×ＩＤが１５Ｅ−６ＶＡ以上となるチャネル領域を有した薄膜トランジスタで構成されていることを特徴とする。
【００１９】
また、本願の請求項２に記載の発明は、前記請求項１に記載のフィールドシーケンシャル方式液晶表示器は、ゲート電圧ＶＧとドレイン電流ＩＤの積ＶＧ×ＩＤが２０Ｅ−６ＶＡ以上８０Ｅ−６ＶＡ以下となるチャネル領域を有していることを特徴とする。
【００２０】
また、本願の請求項３に記載の発明は、前記請求項１又は２に記載のフィールドシーケンシャル方式液晶表示器において、前記薄膜トランジスタのチャネル幅Ｗが２４μｍ以上５４μｍ以下であることを特徴とする。
【００２１】
また、本願の請求項４に記載の発明は、前記請求項１〜３の何れか１項に記載のフィールドシーケンシャル方式液晶表示器において、前記薄膜トランジスタのチャネル幅Ｗが２４μｍ以上５４μｍ以下であることを特徴とする。
【００２２】
更に、本発明の上記第２の目的は以下の構成により達成し得る。すなわち、本願の請求項５に記載の発明は、各画素の駆動用素子として薄膜トランジスタを有するフィールドシーケンシャル方式液晶表示装置において、一定のソース電圧に対して、前記薄膜トランジスタのゲート電圧ＶＧとドレイン電流ＩＤの積ＶＧ×ＩＤが１５Ｅ−６ＶＡ以上となるチャネル領域を有した薄膜トランジスタで構成されたフィールドシーケンシャル方式液晶表示器と、該フィールドシーケンシャル方式液晶表示器の背面に設けられた略原色の発光色を有する背面照明を具備したことを特徴とする。
【００２３】
また、本願の請求項６に記載の発明は、前記請求項５に記載の液晶表示装置において、前記薄膜トランジスタは、ゲート電圧ＶＧとドレイン電流ＩＤの積ＶＧ×ＩＤが２０Ｅ−６ＶＡ以上８０Ｅ−６ＶＡ以下となるチャネル領域を有していることを特徴とする。
【００２４】
また、本願の請求項７に記載の発明は前記請求項５又は６に記載のフィールドシーケンシャル方式液晶表示装置において、前記薄膜トランジスタのチャネル幅Ｗが２４μｍ以上５４μｍ以下であることを特徴とする。
【００２５】
また、本願の請求項８に記載の発明は前記請求項５〜７のいずれか１項に記載のフィールドシーケンシャル方式液晶表示装置において、前記フィールドシーケンシャル方式液晶表示器の液晶層の厚さが１．５μｍ以上３μｍ以下であることを特徴とする。
【発明の効果】
【００２６】
本発明の上記構成によれば、以下のような優れた効果を奏する。すなわち、本願の請求項１及び２に記載のフィールドシーケンシャル方式液晶表示器によれば、ＴＦＴのＯＮ電流が大きいので、高速応答のフィールドシーケンシャル方式液晶表示器が得られ、これに加えて、有彩色の背面照明と同期して駆動されているので、通常はカラー表示用として使用されるＲ・Ｇ・Ｂに対応する各サブピクセルをそれぞれ独立した背面照明の色の画素として使用できるため、非常に高精細なフィールドシーケンシャル方式液晶表示器が得られる。
【００２７】
また、本願の請求項３に記載のフィールドシーケンシャル方式液晶表示器によれば、容易にＴＦＴのゲート電圧ＶＧとドレイン電流ＩＤの積ＶＧ×ＩＤが１５Ｅ−６ＶＡ以上のもの、すなわちＯＮ電流が大きいものが得られるため、容易に高速応答のアクティブマトリクス型液晶表示器が得られる。
【００２８】
また、本願の請求項４に記載のアフィールドシーケンシャル方式液晶表示器によれば、液晶分子の動きが速くなるため、容易に高速応のフィールドシーケンシャル方式液晶表示器が得られる。
【００２９】
更に、本願の請求項５及び６に記載のフィールドシーケンシャル方式液晶表示装置によれば、フィールドシーケンシャル方式液晶表示器の応答速度が従来のものよりも速いので、フィールドシーケンシャル方式で駆動されるカラー表示用液晶表示装置として最適となる。
【００３０】
また、本願の請求項７に記載のフィールドシーケンシャル方式液晶表示装置によれば、容易にＴＦＴのゲート電圧ＶＧとドレイン電流ＩＤの積ＶＧ×ＩＤが１５Ｅ−６ＶＡ以上のもの、すなわちＯＮ電流が大きいフィールドシーケンシャル方式液晶表示器が得られるため、容易に高速応答のカラー表示用フィールドシーケンシャル方式液晶表示装置が得られる。
【００３１】
また、本願の請求項８に記載のフィールドシーケンシャル方式液晶表示装置によれば、フィールドシーケンシャル方式液晶表示器の液晶分子の動きが速く、高速応答であるため、容易に高速応答のカラー表示用フィールドシーケンシャル方式液晶表示装置が得られる。
【発明を実施するための最良の形態】
【００３２】
以下、本発明の実施例を図５及び図６を用いて説明する。ただし、以下に示す実施例は本発明の技術思想を具体化するためのフィールドシーケンシャル方式液晶表示装置を例示するものであって、本発明をこの実施例のフィールドシーケンシャル方式液晶表示装置に特定することを意図するものではなく、特許請求範囲に記載された技術的範囲に含まれるものに等しく適用し得るものである。
【００３３】
まず、本実施例において使用したフィールドシーケンシャル方式液晶表示器のＴＦＴ１０の構成を図４（ａ）及び図４（ｂ）に示す。このＴＦＴ１０は、ガラス基板１２の表面に絶縁膜１４が設けられ、この絶縁膜１４上に順次ゲート電極Ｇ、絶縁膜１６及びアモルファス−シリコン等の半導体層１８が積層され、この半導体層の表面にソース電極Ｓ及びドレイン電極Ｄが対向配置されている。そして、ドレイン電極Ｄとソース電極Ｓとの間の距離がチャネル長Ｌであり、ドレイン電極Ｄとソース電極Ｓとが対向している部分の長さがチャネル幅Ｗである。
【００３４】
まず、応答速度の速い液晶表示器を得るために、液晶層の厚さ（セルギャップ）を従来例の約５μｍよりも小さい２μｍとしたＴＮ液晶を使用した液晶表示装置において、ＴＦＴのチャネル長Ｌを４μｍ一定とし、チャネル幅Ｗを６μｍ、１２μｍ、２４μｍ、３６μｍ、４３．５μｍ、５３μｍと変え、他の条件は全て一定となるようにした液晶表示器を作成した。この液晶表示装置に対し、ソース電圧４Ｖ一定の条件下で、ゲート電圧ＶＧを１５Ｖ〜２０Ｖまでの範囲で変化させて流れたドレイン電流ＩＤ、すなわちＯＮ電流を測定した。ＶＧ＝１６Ｖ及びＶＧ＝２０Ｖの条件下で流れたドレイン電流ＩＤを図５に示す。
【００３５】
ドレイン電流ＩＤが１．００Ｅ−６Ａ未満であると満足な応答速度が得られないので、ＩＤが１．０６Ｅ−６Ａ以上となる条件を求めると、ゲート電圧ＶＧ＝１６Ｖの場合はチャネル幅Ｗが約３０μｍ以上となり、ＶＧ＝２０Ｖの場合はチャネル幅Ｗが約２４μｍ以上となる。チャネル幅Ｗ＝６μｍ及び１２μｍの場合はＶＧを変えてもＩＤが１．０６Ｅ−６Ａには達しない。チャネル幅Ｗは、５３μｍより大きくすればよりドレイン電流を大きくすることが期待されるが、ＴＦＴの大きさもチャネル幅Ｗの大きさに比例して大きくなるため、１画素内に占める光の透過領域、すなわち開口率が小さくなるので好ましくはないので、最大５４μｍ程度に止めるべきである。
【００３６】
そこで、各ゲート電圧ＶＧにおけるゲート電圧の相違を吸収するためにＩＧ×ＩＤの値で規格化すると、ＩＧ×ＩＤが１５Ｅ−６ＶＡ以上となるとドレイン電流ＩＤが１．０６Ｅ−６（Ａ）以上となることが確認された。ＩＧ×ＩＤの最大値は、チャネル幅５３μｍでＶＧ＝２０Ｖのときの８０Ｅ−６ＶＡであった。チャネル幅Ｗ＝６μｍ及び１２μｍの場合は、ＩＧ×ＩＤは８〜１２Ｅ−６ＶＡと低く、液晶分子の動きが遅く、フィールドシーケンシャル方式の液晶表示器としては適しない。好ましい範囲は、ＩＧ×ＩＤが１５Ｅ−６ＶＡ以上であって、より好ましくは２０Ｅ−６ＶＡ〜８０Ｅ−６ＶＡであった。この範囲内であれば、液晶分子の動きが速く、背面照明の点灯についてこられるので、フィールドシーケンシャル方式の液晶表示器として使用できる。
【００３７】
なお、本実施例では、液晶表示器の応答速度を速くするために、液晶層の厚さが２μｍの薄くしたものを使用したが、この液晶層の厚さは１．５μｍ〜３μｍの範囲内であれば上述の条件下において高速応答の液晶表示器が得られる。液晶層の厚さが１．５μｍ未満だと画質が悪化するので好ましくはなく、３μｍを超えると応答速度が遅くなり、フィールドシーケンシャル方式の液晶表示器としては適さない。
【００３８】
なお、上記実施例で得られたフィールドシーケンシャル方式液晶表示器は、所定の背面照明と組み合わされてフィールドシーケンシャル方式液晶表示装置となる。この際、略原色の発光色を有する背面照明と同期してフィールドシーケンシャル方式液晶表示器を駆動すると、応答速度が速いカラー表示用フィールドシーケンシャル方式のフィールドシーケンシャル方式液晶表示装置が得られる。
【図面の簡単な説明】
【００３９】
【図１】フィールドシーケンシャル方式の液晶表示装置の表示原理を説明する図である。
【図２】フィールドシーケンシャル方式液晶表示装置の１画素分の平面図である。
【図３】フィールドシーケンシャル方式液晶表示装置の数画素分の等価回路を示す図である。
【図４】フィールドシーケンシャル方式の液晶表示装置のＴＦＴの構成を説明する図であり、図４（ａ）は平面図、図４（ｂ）は図４（ａ）のＡ−Ａ’線に沿った断面図である。
【図５】フィールドシーケンシャル方式液晶表示装置のＴＦＴにおけるゲート電圧ＶＧの差異によるチャネル幅Ｗとドレイン電流ＩＤとの関係を示す図である。
【符号の説明】
【００４０】
Ｘn、Ｘn+1・・・  走査線
Ｙm、Ｙm+1・・・  映像線
ＣLC    液晶容量
ＣS     補助容量
Ｄ      ドレイン電極
Ｇ      ゲート電極
Ｓ      ソース電極
ＣGD、ＣDS    寄生容量
１０    ＴＦＴ
１２    ガラス基板
１４    絶縁膜
１６    絶縁膜
１８    半導体層
【図１】
2005197480.tif 000003
【図２】
2005197480.tif 000004
【図３】
2005197480.tif 000005
【図４】
2005197480.tif 000006
【図５】
2005197480.tif 000007